(57)【要約】  【課題】孔あき円板やはと目を使用しないで部品点数を減らすとともに、その分だけ製造工程が少なくなるとともに、ファイルボックスをキャビネットに収納し易いようにした、シートのみで組み立てることができるファイルボックスを提供する。  【解決手段】底板１と、底板１の両側に設けられた押さえ板６と、底板１の上下に連設された前板２及び後板３と、前板２の両側にそれぞれ連接された上側板４と、後板３の両側にそれぞれ連接された下側板５とが一体に形成され、それぞれの下側板５の底板側には係止用長孔８が形成されるとともに、それぞれの上側板４の底板側には下側板５の係止用長孔８に挿入して係止する係止片９が切り欠きを介して連接され、押さえ板６、下側板４、上側板５が順次重ねられ、上側板５の係止片９が下側板５の係止用長孔８に挿入されて下側板５の裏側に係止され、下側板５は押さえ板６の弾力により上側板４に押さえられているファイルボックス。【選択図】図１
2005138437.tif 000002
【特許請求の範囲】
【請求項１】
底板と、底板の両側に設けられた押さえ板と、底板の上下に連設された前板及び後板と、前板の両側にそれぞれ連接された上側板と、後板の両側にそれぞれ連接された下側板とが一体に形成され、それぞれの下側板の底板側には係止用長孔が形成されるとともに、それぞれの上側板の底板側には下側板の係止用長孔に挿入して係止する係止片が切り欠きを介して連接され、押さえ板、下側板、上側板が順次重ねられ、上側板の係止片が下側板の係止用長孔に挿入されて下側板の裏側に係止され、下側板は押さえ板の弾力により上側板に押さえられていることを特徴とするファイルボックス。
【発明の詳細な説明】
【技術分野】
【０００１】
本発明は、書類やカードなどを収納するファイルボックスに関する。
【背景技術】
【０００２】
従来から書類やカードなどを収納するためにファイルボックが広く利用されている。例えば、特許文献１には、収納物の出し入れを容易にするファイルケースとして、直方体のファイルケースであって、一方の開閉部の開閉動作に連動して他方の開閉部も開閉するように、両開閉部の側面である開閉側面部どうしを連結した両開きのファイルケースが提案されている。
【０００３】
図４は従来の両開きのファイルケースの斜視図、図５（ａ）は展開図、（ｂ）は側面図、（ｃ）は（ｂ）のＢ−Ｂ断面図である。
【０００４】
図４において、底板１の前後に対向して連設された前板２及び後板３、前板２の両側にそれぞれ連接された上側板４、後板の両側にそれぞれ連接された下側板５、底板１の両側に設けられたはと目留め板１２が一体に形成され、上側板４、下側板５、はと目留め板１２には、それぞれ長孔１３が形成されている。上側板４、下側板５及びはと目留め板１２は、順に重ねられてはと目１４で留められる。前板２あるいは後板３には見出し７が形成されている。
【０００５】
図５において、樹脂製シートは底板１、底板１の両側に連設された前板２及び後板３、前板２に連接された上側板４、後板３に連接された下側板５、底板１の両側に設けられたはと目留め板１２が一体に形成されている。
【０００６】
樹脂製シートをそれぞれの折り曲げ線１１に沿って谷折りし、はと目１４で留める。はと目１４は、上側板４及び下側板５に形成された長孔１３を通し、はと目留め板１２に設けられた長孔１３に通して座金となる孔あき円板１５で挟んで留める。
【０００７】
このファイルボックスは、はと目１４が上側板４、下側板５及びはと目留め板１２のそれぞれの長孔１３に通されて留められているので、前板２及び後板３の上部を両開きすることができ、書類の出し入れが容易となる。このように書類を入れた複数のファイルボックスがキャビネットに収納される。
【特許文献１】特開２００２−３００９１２号公報
【発明の開示】
【発明が解決しようとする課題】
【０００８】
しかしながら、図４に示す従来のファイルボックスは、上側板４、下側板５及びはと目留め板１２を留めるのに孔あき円板１５及びはと目１４を使用するために、部品点数が多くなり、またはと目を留める分だけ製造工程が多くなり、作業時間もかかり、コストアップとなる欠点がある。
【０００９】
また、上側板４に孔あき円板１５が重さねられ、はと目１４の頭が外側に突出しているために、複数のファイルボックスをキャビネット内に多数並べて収納する場合に、突出した孔あき円板１５あるいははと目１４の頭が隣のファイルボックスの側板にぶつかったり、して収納しにくく、また、キャビネットからの出し入れの際、キャビネット内側面の段差等に引っかかったりし、さらに突出した分だけ隙間ができて収納面積が増えて、ファイルボックスを整然と並べてキャビネットに収納できずに、キャビネット内を有効に利用できない場合がある。
【００１０】
また、ファイルボックスが樹脂や金属等の数種類の材質から構成されるので、廃棄の際に材質毎に分別する必要が有るため、リサイクルが容易でないという問題もある。
【００１１】
そこで、本発明は、孔あき円板やはと目を使用しないで部品点数を減らすとともに、その分だけ製造工程が少なくなるとともに、ファイルボックスをキャビネットに収納し易いようにした、シートのみで組み立てることができ、且つリサイクルし易いファイルボックスを提供するものである。
【課題を解決するための手段】
【００１２】
本発明のファイルボックスは、底板と、底板の両側に設けられた押さえ板と、底板の上下に連設された前板及び後板と、前板の両側にそれぞれ連接された上側板と、後板の両側にそれぞれ連接された下側板とが一体に形成され、それぞれの下側板の底板側には係止用長孔が形成されるとともに、それぞれの上側板の底板側には下側板の係止用長孔に挿入して係止する係止片が切り欠きを介して連接され、押さえ板、下側板、上側板が順次重ねられ、上側板の係止片が下側板の係止用長孔に挿入されて下側板の裏側に係止され、下側板は押さえ板の弾力により上側板に押さえられていることを特徴とする。
【発明の効果】
【００１３】
本発明のファイルボックスは、孔あき円板やはと目を使用することなく１枚のシートで形成できるので、部品点数を減らすことができ、その分だけ製造工程少なくすることができるとともに、孔あき円板やはと目による突出がなくなるので、ファイルボックスをキャビネット内側面の段差に等に干渉されにくくなりスムーズに収納し易くなる。また、キャビネット内を有効に利用することができる。
【００１４】
また、本発明のファイルボックスは、単一の材質のシートで形成できるため金属のはと目など他の素材を使用する必要がないので、使用後の廃棄の時、分別する必要がなくリサイクルが容易である。
【発明を実施するための最良の形態】
【００１５】
図１は本発明のファイルボックスを開いた状態を示す斜視図である。
【００１６】
図１において、底板１の前後に対向して連設された前板２及び後板３、前板２の両側にそれぞれ連接された上側板４、後板の両側にそれぞれ連接された下側板５、底板１の両側に設けられた押さえ板６が一体に形成されている。それぞれの下側板５の底板１側に形成された係止用長孔８に、それぞれの上側板４の底板１側に形成された係止片９が移動可能に挿入されて係止されている。係止用長孔８および係止片９は前板２と後板３が前後に均等に開閉できるようにして倒れ難くする。底板１の両側に設けられた押さえ板６は、下側板５を上側板側４に押さえている。
【００１７】
図２（ａ）は樹脂製シートの展開図、（ｂ）は樹脂製シートの折り曲げを示す斜視図、図３は本発明のファイルボックスの組立手順を示し、（ａ）は係止前の側面図、（ｂ）は係止後の側面図、（ｃ）は（ｂ）のＡ−Ａ断面図である。
【００１８】
図２（ａ）に示す展開図において、ポリプロピレンなどの弾力性を有する樹脂製シートは、底板１、底板１の前後に対向して連設された前板２及び後板３、前板２の両側に連接された上側板４、後板３の両側に連接された下側板５、底板１の両側に設けられた押さえ板６が一体に形成されている。前板２あるいは後板３には見出し貼着する見出し片７を形成してもよい。
【００１９】
それぞれの下側板５の底板１側には係止用長孔８が形成され、それぞれの上側板２の底板１側には下側板５の係止用長孔８に挿入して係止する係止片９が両側に形成された切り欠き１０を介して連接されている。下側板５の係止用長孔８は、これに挿入された上側板２の係止片９が平面状態のときには抜けない形状に形成するとともに、係止片９が切り欠き１０により移動できる形状に形成される。
【００２０】
次に本発明の組立手順について説明する。図２（ｂ）に示すように、樹脂製シートに形成された折り曲げ線１１に沿って、底板１の両側に連設された前板２及び後板３、前板２の両側に連接された上側板４、後板３の両側に連接された下側板５をそれぞれ谷折りしてほぼ垂直に起こす。底板１の両側に設けられたそれぞれの押さえ板６は、組立後に弾力性を利用して下側板５を上側板４に押さえる押圧力を作用させる必要があるので、直角よりやや大きい角度に谷折りしておく。
【００２１】
次いで、図３（ａ）に示すように、押さえ板６を底板１側に押し込み、押さえ板６の上に下側板５を重ね、下側板５の上に上側板４を重ねる。下側板５の上に上側板を重ねる際に、図３（ｂ）に示すように、上側板４の係止片９を下側板５の係止用長孔８に挿入して下側板５の裏側に通し、平面状態にして係止する。図３（ｂ）及び（ｃ）に示すように、上側板４は係止片９により下側板５に係止され、下側板５は押さえ板６の弾力により上側板４に押さえられているので、押さえ板６、下側板５及び上側板４の間に隙間が形成されることはなく、また、係止片９は下側板５及び上側板４に挟まれて平面状態となっているので、係止用長孔８から抜けることはない。
【００２２】
以上の手順で組み立てられたファイルボックスは、前板２と後板３の上部を垂直状態から両外側に拡げると、係止用長孔８に挿入された係止片９が切り欠き１０により係止用長孔８内を移動して上部が前後に均等に開いて倒れにくくなり、書類の出し入れがし易くなる。
【００２３】
また、上側板４の係止片９は下側板５の係止用長孔８に挿入されるために上側板４から外側に突出したものが形成されることもないので、複数のファイルボックスをキャビネットに収納する際に、隣のファイルボックスやキャビネットの内側面の段差に干渉されることなくスムーズに収納することができる。
【図面の簡単な説明】
【００２４】
【図１】本発明のファイルボックスを開いた状態で示す斜視図である。
【図２】本発明のファイルボックスの組立手順を示す図である。
【図３】本発明のファイルボックスの組立手順を示す図である。
【図４】従来の両開きのファイルケースの斜視図である。
【図５】（ａ）は従来の両開きのファイルケースの展開図、（ｂ）は側面図、（ｃ）は（ｂ）のＡ−Ａ断面図である。
【符号の説明】
【００２５】
１：底板
２：前板
３：後板
４：上側板
５：下側板
６：押さえ板
７：見出し片
８：係止用長孔
９：係止片
１０：切り欠き
１１：折り曲げ線
１２：はと目留め板
１３：長孔
１４：はと目
１５：穴あき円板  
【図１】
2005138437.tif 000003
【図２】
2005138437.tif 000004
【図３】
2005138437.tif 000005
【図４】
2005138437.tif 000006
【図５】
2005138437.tif 000007